(57)【特許請求の範囲】
【請求項１】
入力軸と出力軸との間に配置されるアイドラギアであって、前記入力軸及び出力軸により切線力がそれぞれ形成されて、前記アイドラギアが駆動され、中心軸の円周に沿って回転を行い、前記切線力の総合により反力が生成されて、前記アイドラギアが前記円周に沿って回転を行う際の負荷トルクとなることと、
複数枚の条片状板体の弾性部材であって、少なくとも１つの前記弾性部材の板体に少なくとも１つの歪みゲージが配置され、前記弾性部材は入力軸の軸方向にそれぞれ相互に平行に配置され、前記弾性部材の入力軸方向の端部はそれぞれ全装置体の固定端である固定部材に固定され、且つ前記弾性部材の入力軸方向の他端部は前記アイドラギアにより負荷される反力の吸収にそれぞれ用いられて、前記円周に沿って回転を行う方向に湾曲変形が生成され、前記歪みゲージにより前記湾曲変形が検出されて歪みが生成され、それを入力軸と出力軸との間の検出トルク値とし、
前記アイドラギアは駆動部材に回動可能に取り付けられて定位され、前記アイドラギアにより駆動部材が連動されて前記中心軸に沿って自転を行い、前記アイドラギアにより負荷される反力は駆動部材により伝導されて前記弾性部材に湾曲変形を生成させ、
前記固定部材及び駆動部材は前記中心軸に沿って間隔を開けて配置される、
ことを特徴とする軸方向回転式トルク検出器。
【請求項２】
前記駆動部材の中心軸の周縁には複数の係止溝が設けられ、前記弾性部材はアイドラギアにより負荷される反力の吸収に用いられて、端部が係止溝内にそれぞれ滑動可能に覆設されることを特徴とする、請求項１に記載の軸方向回転式トルク検出器。
【請求項３】
前記駆動部材の中心軸の周縁には複数の係止溝が設けられ、前記弾性部材はアイドラギアにより負荷される反力の吸収に用いられて、端部が係止溝内にそれぞれ固定されることを特徴とする、請求項２に記載の軸方向回転式トルク検出器。
【請求項４】
前記中心軸は入力軸の軸心に位置され、前記弾性部材は入力軸の軸心のラジアル線に間隔を開けて位置されることを特徴とする、請求項１に記載の軸方向回転式トルク検出器。
【請求項５】
前記歪みゲージの貼り合わせられる位置は固定部材に対して近接されることを特徴とする、請求項１に記載の軸方向回転式トルク検出器。
【請求項６】
前記歪みゲージが配置される弾性部材は、その歪みゲージの配置される数量が２つであり、且つ前記２つの歪みゲージは弾性部材の板体の対応し合う２つの端面に対して貼り合わせられることを特徴とする、請求項１または５に記載の軸方向回転式トルク検出器。
【請求項７】
遊星ギア組を更に備え、前記入力軸は遊星ギア組の内の太陽歯車に回動可能に取り付けられ、前記出力軸は遊星ギア組の内の太陽歯車の周囲を周回させるリングギアで形成され、前記アイドラギアの数量は少なくとも２つであり、且つ遊星ギア組の太陽歯車とリングギアとの間にそれぞれ対称に配置され、前記アイドラギアは入力される太陽歯車及び出力されるリングギアの間の負荷トルクに相互に噛み合わせられることを特徴とする、請求項１に記載の軸方向回転式トルク検出器。
【請求項８】
前記入力軸に回動可能に取り付けられる対象及び出力軸の形成対象は互換されることを特徴とする、請求項７に記載の軸方向回転式トルク検出器。
【請求項９】
前記アイドラギアは駆動部材に回動可能に取り付けられて定位され、前記アイドラギアにより駆動部材が連動されて前記中心軸に沿って自転を行い、前記アイドラギアにより負荷される反力は駆動部材により伝導されて前記弾性部材に湾曲変形を生成させることを特徴とする、請求項７または８に記載の軸方向回転式トルク検出器。
【請求項１０】
前記駆動部材の中心軸の周縁には複数の係止溝が設けられ、前記弾性部材はアイドラギアにより負荷される反力の吸収に用いられて、端部は係止溝内にそれぞれ滑動可能に覆設されることを特徴とする、請求項９に記載の軸方向回転式トルク検出器。
【請求項１１】
前記駆動部材の中心軸の周縁には複数の係止溝が設けられ、前記弾性部材はアイドラギアにより負荷される反力の吸収に用いられて、端部は係止溝内にそれぞれ固定されることを特徴とする、請求項９に記載の軸方向回転式トルク検出器。
【請求項１２】
前記弾性部材が固定される端部は固定部材により固定され、前記固定部材及び駆動部材は前記中心軸に沿って間隔を開けて配置され、前記中心軸は太陽歯車及びリングギアの輪心線であり、前記弾性部材は太陽歯車の輪心のラジアル線にそれぞれ間隔を開けて位置されることを特徴とする、請求項９に記載の軸方向回転式トルク検出器。
【請求項１３】
前記歪みゲージが配置される弾性部材は、その歪みゲージの配置される数量は２つであり、且つ前記２つの歪みゲージは前記弾性部材の板体の対応し合う２つの端面に対して貼り合わせられることを特徴とする、請求項１２に記載の軸方向回転式トルク検出器。
【請求項１４】
前記歪みゲージの貼り合わせられる位置は固定部材に対して近接されることを特徴とする、請求項１２に記載の軸方向回転式トルク検出器。
【請求項１５】
前記駆動部材及び固定部材の中心にはスルーホールがそれぞれ設けられ、前記入力軸は前記中心のスルーホールを穿通させて太陽歯車に回動可能に取り付けられることを特徴とする、請求項１２に記載の軸方向回転式トルク検出器。
【請求項１６】
前記入力軸は前記駆動部材及び固定部材の内の少なくとも１つに回動可能に取り付けられることを特徴とする、請求項１５に記載の軸方向回転式トルク検出器。
【発明の詳細な説明】
【技術分野】
【０００１】
本発明は、回転駆動機構中の部材により生成される変形量を基にトルク値の検出を行う技術に関し、より詳しくは、軸方向回転式トルク検出器（planet gear train based torque detector）に関する。
【背景技術】
【０００２】
従来の回転駆動機構は、一般的にトルク検出部材（または検出器）が搭載されてトルク値の大きさ及び変化の検出を行うが、前記機構によりトルクが伝達される過程において、前記トルク値の変化をどのように精確に検出を行うか、また、配置されるトルク検出部材（または検出器）の体積をどのように効果的に縮減させるかが、長年悩まされている技術的課題であった。
【０００３】
従来の特許文献では、例えば、特許文献１、特許文献２、特許文献３、特許文献４、特許文献５及び特許文献６に、歪みゲージ（strain gauge）が検出部材として使用され、回転駆動機構により生成されるトルク値の変化の検出を行う発明が記載されている。
【０００４】
なお、一般的なよくある歪みゲージは、金属線が単方向アレイ形式で配列されて形成される金属薄板であり、その両端には歪みゲージ信号処理モジュールに接続されて用いられるピンをそれぞれ有する。応用においては、歪みゲージは回転駆動機構中の受力された後に歪みが生じる機械部材に固定され、歪みゲージが歪みを生じる機械部材に追随して変形される場合、歪みゲージの電気抵抗値の変化により前記機械部材が歪みを反応させ、回転駆動機構中のトルク値の大きさ及び変化の検出を行う。
【先行技術文献】
【特許文献】
【０００５】
【特許文献１】アメリカ特許出願第５１７２７７４号明細書
【特許文献２】アメリカ特許出願公開第２０１００１３９４３２号明細書
【特許文献３】アメリカ特許出願第８３０２７０２号明細書
【特許文献４】アメリカ特許出願公開第２０１５０１３５８５６号明細書
【特許文献５】台湾特許出願第M４５１３１６号明細書
【特許文献６】台湾特許出願第M４１７３２０号明細書
【発明の概要】
【発明が解決しようとする課題】
【０００６】
しかしながら、前述した従来の技術では、すなわち、上述の特許に記載されるトルク検出構造及びその歪みゲージの搭載位置は、トルクの変更により生じた歪みの検出効果は理想的とは言えず、同時にトルク検出構造の体積が大きすぎるという問題も存在した。
【０００７】
例えば、特許文献１の記載されている複数の歪みゲージがトルクを伝達させる１つのギアで形成される複数のせん断ウェブ（shear web）に直接配置され、前記せん断ウェブはギアのラジアルウェブ面に沿って負荷を伝導させて、せん断ウェブの歪みを発生させるが、但し、検出される歪みは、順方向の歪みのほかにせん断ひずみを更に含み、せん断ウェブにより生成される歪みはギアのトルク値の変化を示すには不十分である。このため、トルクの検出の信頼性及び精確性が失われた。或いは、より多方向の歪みゲージが配置されて順方向の歪み及び剪切方向の歪みの検出が行われるが、これではコスト及び複雑さが相対的に増加した。また、せん断ウェブ上に搭載される歪みゲージの位置及びギアのためにトルクの検出の信頼性及び精確性が損なわれた。さらには、ウェブ部に歪みゲージが搭載される構造設計が採用されたが、径方向の体積が縮減できないという難点が残った。
【０００８】
なお、特許文献２に記載されている歪みゲージがフレーム形のトルク伝達部材（torquetransferring element）の径方向の辺リブ平面に嵌装され、前記トルク伝達部材の中心部にはリングギアが連結され、前記歪みゲージによりリングギアのトルクが検出される。しかし、歪みゲージが搭載されるトルク伝達部材（torquetransferring element）の辺リブ平面とリングギアの軸心との間の径方向の間隔が十分に大きくなければ、順方向の歪み及びせん断ひずみが明確に検出できず、しかも、構造の径方向の体積が縮減されにくいという困難が伴った。
【０００９】
また、特許文献３に記載されているハウジングに固定されると共にトルク軸を回動可能に取り付けるのに用いられる変換器（transducer）は、円盤状を呈すると共にトルク軸が回動可能に取り付けられる中心ハブ（hub）を有し、ハブの周辺にはリングの盤面状のウェブ部（web）が延伸されて形成され、且つ前記ウェブ部は上述のキャリア材料となって少なくとも１つの歪みゲージが搭載され、トルク軸のトルクの変化が検出される。しかしながら、前記ウェブ部はリングの盤面状として形成されるため、トルクが変換されることで形成される作用力を集中させて伝導させるのが難しく、換言すれば、ウェブ部がトルク伝導により生成される歪みを受けてリング状のウェブ部の全面域に分散させることにより、歪みゲージにより発生される変形量が減少され、軸心の間ではトルク伝達部材の周辺の辺リブにより作用力が伝導され、前記歪みゲージの嵌装位置は曲げモーメントの作用を受ける。但し、辺リブにより生成される曲げモーメントによるトルクの変化の検出は、信頼性及び精確性が低かった。また、トルク伝達部材の辺リブには同様に、構造体の径方向の体積が大きくなるという問題があった。
【００１０】
さらに、特許文献４に記載されている輪座型の力トルクセンサ（force torque sensor）は、システム運動が阻害された際に瞬間的に生成される力またはトルクに対する検出に用いられ、一般的には安全保護のために使用される。前記力トルクセンサの中心部には同様に回転部材が回動可能に取り付けられるハブが形成され、力トルクセンサの径方向の周辺にはリム（rim）が更に形成され、前記ハブの四方とリムとの間の径方向の位置には更に複数の梁（beam）がそれぞれ形成され、且つ各径方向の梁の四方の端面には歪みゲージがそれぞれ固定され、各梁が受ける負荷は案内されて梁に対する曲げ負荷となって引張力、圧力、またはせん断力を発生させ、梁面の歪みゲージにより梁に生成される歪みが検出可能になり、力及びトルク値の変化が更に検出される。但し、この特許には前記梁が受ける負荷がどのように案内されて引張力或いは／及び圧力またはせん断力になるのかの具体的な技術が記載されていない。このため、各梁の四方の端面に歪みゲージが固設されて、計測された値の精度を高めているが、しかし、これが原因で、歪みゲージが応用される数量が多すぎて無駄になり、応力構造がより複雑になった。なお、前記梁にも構造体の径方向の体積が大きくなるという問題があった。
【００１１】
このほかに、特許文献５及び特許文献６の記載を示すように、クランク軸にスリーブが設置され、前記スリーブの表面には歪みゲージが貼付され、スリーブがトルク作用を受ける際に発生する歪み量の計測に用いられ、且つ計測された歪み量が歪み信号に変換され、電動モーターの出力動力が制御される。スリーブに歪みゲージが搭載される設計では構造体の径方向の体積を縮減させる効果を達成させるが、但し、歪みゲージは運動部材（スリーブ）に搭載されるため、変圧器及び信号無線伝送部材等のエネルギー伝送部材が組み合わせられる必要がある。これらの付属部材が運動部材（スリーブ）に装設される場合、配置空間が増えてしまい、構造体が更に大きくなった。
【００１２】
本発明は、以上の従来技術の課題を解決する為になされたものである。即ち、本発明は、軸方向回転式トルク検出器を提供することを目的とする。すなわち、従来の歪みゲージが搭載されるトルク検出構造では、検出精度及び感度が不足し、径方向の体積が効果的に縮減できないという問題を改善させる。
【課題を解決するための手段】
【００１３】
上述した課題を解決し、目的を達成するために、本発明には、受力された際に湾曲変形が生成される特性を有する弾性部材が応用され、且つ歪みゲージが搭載されて精確且つ敏感に応用部材または設備のトルクの変化が検出される。また、前記弾性部材の配置位置の設計により、応用部材または設備の径方向の体積が効果的に縮減できないという問題が解決される。
【００１４】
本発明に係る軸方向回転式トルク検出器は、入力軸と出力軸との間に配置されるアイドラギアであって、前記入力軸及び出力軸により切線力がそれぞれ形成されて、アイドラギアが駆動され、中心軸の円周に沿って回転を行い、前記切線力の総合により反力が生成されて、アイドラギアが前記円周に沿って回転を行う際の負荷トルクとなることと、板状の複数本の弾性部材であって、少なくとも１つの弾性部材の板体に少なくとも１つの歪みゲージが配置され、前記弾性部材の一端部はそれぞれ固定され、且つ前記弾性部材の他端部はアイドラギアにより負荷される反力の吸収にそれぞれ用いられて、前記円周に沿って回転を行う方向に湾曲変形が生成され、前記歪みゲージにより前記湾曲変形が検出されて歪みが生成され、それを入力軸と出力軸との間の検出トルク値とし、前記弾性部材は入力軸の軸方向にそれぞれ相互に平行することとを備える。
【００１５】
また、ある好ましい実施形態において、本発明は、遊星ギア組であって、前記入力軸は遊星ギア組の内の太陽歯車に回動可能に取り付けられ、前記出力軸は遊星ギア組の内の太陽歯車の周囲を周回させるリングギアで形成され、前記アイドラギアの数量は少なくとも２つであり、且つ遊星ギア組の太陽歯車とリングギアとの間にそれぞれ対称に配置され、前記アイドラギアは入力される太陽歯車及び出力されるリングギアの間の負荷トルクに相互に噛み合わせられることとを更に備える。
【００１６】
前記アイドラギアは駆動部材に回動可能に取り付けられて定位され、前記アイドラギアにより駆動部材が連動されて前記中心軸に沿って自転を行い、前記アイドラギアにより負荷される反力は駆動部材により伝導されて弾性部材に湾曲変形を生成させる。前記駆動部材の中心軸の周縁には係止溝が設けられ、前記弾性部材はアイドラギアにより負荷される反力の吸収に用いられて、端部は係止溝内にそれぞれ滑動可能に覆設されるか固定される。
【００１７】
前記弾性部材が固定される端部は固定部材により固定され、前記固定部材及び駆動部材は前記中心軸に沿って間隔を開けて配置される。前記中心軸は入力軸の軸心に位置される。或いは、前記中心軸は太陽歯車及びリングギアの輪心線であり、前記弾性部材は入力軸の軸心または太陽歯車の輪心のラジアル線にそれぞれ位置される。前記歪みゲージの貼り合わせられる位置は固定部材に対して近接される。
【発明の効果】
【００１８】
本発明によれば、以下の効果を有する。
１．アイドラギア（または遊星ギアと呼ばれる）は入力軸及び出力軸（または太陽歯車及びリングギアと呼ばれる）によりそれぞれ形成される切線力を負荷させ、且つ前記負荷が十分伝導されて弾性部材がトグルされることにより湾曲変形の反力が発生され、前記弾性部材に曲げモーメントを生成させ、前記歪みゲージに追随させて変形を生成させることにより、歪みゲージによるトルクの検出精度が向上する。
２．条片状の弾性部材に歪みゲージが搭載され、弾性部材の一端部にトグルを受力させる状態で敏感に湾曲変形を生成させ、歪みゲージによるトルクの検出精度を高める。
３．弾性部材及び入力軸（または太陽歯車或いはリングギアと呼ばれる）の軸方向が相互に平行に配置され、入力軸（または太陽歯車或いはリングギアと呼ばれる）の径方向に沿って配置されるのではなく、応用部材、設備、またはトルク検出器の径方向の体積が効果的に縮減される。
【図面の簡単な説明】
【００１９】
【図１】本発明の好ましい実施形態による軸方向回転式トルク検出器を示す傾斜の展開図である。
【図２】図１を組み立てた水平断面図である。
【図３】図２に示すＡ―Ａを示す断面図である。
【図４】図２に示すＢ―Ｂを示す断面図である。
【図５】図４に示すＣ―Ｃを示す断面図である。
【図６】図１における部分部材を示す傾斜の構成図である。
【図７】図３に示す遊星ギアによる周方向を示す説明図である。
【図８ａ】弾性部材が固定部材に固着される概略図である。
【図８ｂ】固定部材により連動し弾性部材が曲げられ変形を発生する概略図である。
【図９】図４に示す弾性部材が周方向を受ける影響の説明図である。
【図１０ａ】弾性部材を示す正面図である。
【図１０ｂ】弾性部材を示す側面図である。
【図１１】力を受けた後、図１０ａに示す弾性部材が曲げられ変形を発生する説明図である。
【発明を実施するための形態】
【００２０】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
［実施形態］
【００２１】
（第１実施形態）
本発明に係るトルク検出器の第一実施形態の態様は、前記トルク検出器は、アイドラギア２と、複数の弾性部材３と、歪みゲージ４と、入力軸５と、出力軸６とを備える（図１乃至図５参照）。
【００２２】
図１乃至図２に示すように、前記アイドラギア２は入力軸５と出力軸６との間に配置され、且つ前記アイドラギア２、入力軸５、及び出力軸６はハウジング１内に収納される。前記ハウジング１は実質的に全装置体の固定端となり、前記入力軸５及び出力軸６を回動可能に取り付けるのに用いられる。更には、前記入力軸５及び出力軸６はベアリング５０及びベアリング６０によりウジング１内にそれぞれ回動可能に取り付けられ、且つ入力軸５及び出力軸６の端部５１及び端部６１はハウジング１の外にそれぞれ突出される。
【００２３】
上述のアイドラギア２と入力軸５、出力軸６との間の具体的な配置について、図３を参照し、本発明の遊星ギア組を実施形態とする例を挙げて具体的に説明する。前記遊星ギア組はハウジング１内に配置され、前記アイドラギア２、入力軸５、及び出力軸６は遊星ギア組により相互に連動される。前記入力軸５の一端部５１はハウジング１の外に突出され、且つ入力軸５の他端部がハウジング１１内に延伸されて遊星ギア組の内の太陽歯車５２に回動可能に取り付けられる。前記出力軸６は太陽歯車５２及び遊星ギア２０、遊星ギア２１の周囲を周回させるリングギア６２で形成される。換言すれば、前記出力軸６及びリングギア６２は同軸で一体に延出されて形成され、且つ前記出力軸６及び入力軸５は同軸方向に間隔を開けて配置される。このほかに、入力軸５及び出力軸６の軸着対象は互換され、すなわち、入力軸５にはリングギア６２が回動可能に取り付けられ、出力軸６には太陽歯車５２が回動可能に取り付けられることも、本発明の思想概念の応用範疇に含まれ、入力から出力までの駆動対象及び順序は簡単に変更できる。前記アイドラギア２は実施において、太陽歯車５２とリングギア６２との間に対称に配置される２つの遊星ギア（以下２０、２１で示す）で構成され、前記遊星ギア２０及び遊星ギア２１は太陽歯車５２及びリングギア６２にそれぞれ相互に噛み合わせられ、前記遊星ギア２０及び遊星ギア２１（またはアイドラギアと呼ばれる）は太陽歯車５２及びリングギア６２の内の何れか１つにより駆動されて中心軸Ｃの円周に沿って回転を行う（図２及び図３参照）。前記中心軸Ｃは入力軸５（または太陽歯車５２或いはリングギア６２と呼ばれる）の軸心に位置され、前記中心軸Ｃは太陽歯車５２及びリングギア６２の輪心線となる。
【００２４】
図１及び図２を参照すれば、前記遊星ギア２０及び遊星ギア２１は駆動部材３１に回動可能に取り付けられて定位される。具体的には、前記遊星ギア２０及び遊星ギア２１は２つの遊星ギア軸２０ａ及び遊星ギア軸２１ａにより駆動部材３１にそれぞれ回動可能に取り付けられ、前記遊星ギア２０及び遊星ギア２１が駆動部材３１の拘束を受けて各々の枢着位置の箇所で自転を行う。これにより、太陽歯車５２またはリングギア６２の駆動を受ける遊星ギア２０及び遊星ギア２１（またはアイドラギアと呼ばれる）により駆動部材３１が更に連動されて前記中心軸Ｃに沿って自転を行う。
【００２５】
図１、図５及び図６を参照すれば、前記複数の弾性部材３は全て条片状または板片状を呈する形体であり、且つその内の少なくとも１つの弾性部材３の板体には少なくとも１つの歪みゲージ４が配置されなければならない。ここでは、前記少なくとも１つの弾性部材３とは、複数の弾性部材３の中の１つまたは１つ以上の弾性部材の板体に歪みゲージ４が粘着されるのみでよいことを指し、且つ歪みゲージ４の弾性部材３が粘着され、歪みゲージ４の粘着される数量は１つか２つである。単一の弾性部材３に粘着される歪みゲージ４の数量が２つである場合、前記２つの歪みゲージ４は前記弾性部材３の板体の第一端面３ｃ及び第二端面３ｄに対応し合って貼り合わせられる。前記弾性部材３は、例えば炭素鋼等の金属で製造される条片状の形体であり、板体の各部分は均しく同じ断面を呈し、作用力が伝導されて使用される金属材料の強度の許容範囲内で歪みが生成され、これにより、歪みゲージ４のキャリアとなる。
【００２６】
各弾性部材３は全て第一端部３ａ及び第二端部３ｂを有する。第一端部３ａは固定されなければならず、第二端部３ｂは遊星ギア２０及び遊星ギア２１（またはアイドラギアと呼ばれる）により負荷される反力Ｆの吸収に用いられる。更に詳しくは、前記弾性部材が固定される第一端部３ａは固定部材３０により固定され、前記固定部材３０は台座３２に形成されるか、或いはねじ組、溶接、ボルト締め、または一体形成等の方式により固定部材３０及び台座３２がハウジング１内に一体で固定されて、全装置体の固定端となる。また、固定部材３０及び駆動部材３１はそれぞれ独立して前記中心軸Ｃに沿って間隔を開けて配置される。前記駆動部材３１の中心軸Ｃの周縁には複数の係止溝３１ｂが設けられ、前記係止溝の数量は前記弾性部材３の配置される数量と同じかそれより多くなければならず、前記弾性部材３が遊星ギア２０及び遊星ギア２１（またはアイドラギアと呼ばれる）により負荷される反力Ｆの吸収に用いられ、第二端部３ｂは係止溝３１ｂ内に滑動可能または固定されて覆設される。これにより、前記弾性部材３は入力軸５の軸方向にそれぞれ相互に平行して配置される。
【００２７】
このほかに、前記固定部材３０及び駆動部材３１（台座３２を含む）の中心部にはスルーホール３０ａ及びスルーホール３１ａがそれぞれ形成されて入力軸５により穿通され、固定部材３０及び駆動部材３１は入力軸５の軸方向にそれぞれ沿って入力軸５に対称に配置され、且つ前記入力軸５により固定部材３０及び駆動部材３１のスルーホール３０ａ及びスルーホール３１ａが穿通されて太陽歯車５２に回動可能に取り付けられる。更には、前記弾性部材３は固定部材３０と駆動部材３１との間にそれぞれ配置され、前記弾性部材３が太陽歯車５２の輪心（または入力軸５の軸心と呼ばれる）のラジアル線Ｄにそれぞれ位置される（図４参照）。
【００２８】
図６及び図７を参照すれば、入力端として使用される太陽歯車５２が時計回り方向に回転を行う場合、２つの遊星ギア２０及び遊星ギア２１が連動されて反時計回り方向に回転を行い、前記遊星ギア２０及び遊星ギア２１により出力端として使用されるリングギア６２が連動されて反時計回り方向に回転を行って動力が出力される。リングギア６２は外界からの負荷トルクＴ１及び太陽歯車５２により入力されるトルクＴ２を克服させねばならず、且つトルクＴ２に減速比が乗算されて得られるトルクがトルクＴ１を克服させて平衡を達成させなければならない。太陽歯車５２と遊星ギア２０、遊星ギア２１とが相互に?み合わせられる接触点に切線力Ｆ２が形成され、且つリングギア６２と遊星ギア２０、遊星ギア２１とが相互に?み合わせられる接触点には切線力Ｆ１が形成され、前記切線力Ｆ１及びＦ２は相互に平行する。
【００２９】
力系の平衡理論
【数１】
0006344663.tif 000002
に基づくと、Ｆ＝Ｆ１＋Ｆ２と分かり、且つＦ１＝Ｆ２＝Ｆ／２であり、よって、前記切線力の総合（Ｆ１＋Ｆ２）により反力Ｆが生成されて、遊星ギア２０及び遊星ギア２１（またはアイドラギアと呼ばれる）が前記中心軸Ｃの円周に沿って回転を行う際の負荷トルクとなる。更には、駆動部材３１により遊星ギア２０及び遊星ギア２１が拘束されるため、原位置で自転を行えるのみになり、上述の式中のＦが遊星ギア２０及び遊星ギア２１がその輪心により生成される反力Ｆとなり、この反力Ｆ（以下では円周方向の力Ｆと呼ばれる）は円周方向の力の方式で遊星ギア軸２０ａ及び遊星ギア軸２１ａにより駆動部材３１に伝達され、駆動部材３１が中心軸Ｃの円周に沿って自転を行う。より詳しくは、この際の駆動部材３１は微量の自転のみ生成でき、且つ駆動部材３１が自転を行う際の回転量が各弾性部材３の末端の変形量となり、各弾性部材３が円周方向の力Ｆの作用を受けることにより湾曲変形が生成される。すなわち、前記遊星ギア２０及び遊星ギア２１により負荷される反力Ｆ（または円周方向の力Ｆと呼ばれる）は駆動部材３１により伝導されることで、各弾性部材が須らく湾曲変形を生成させる。仮にリングギア６２のピッチ円半径がＲであり、遊星ギア２０及び遊星ギア２１の数量が２つであるならば、Ｔ１＝２×（Ｆ１×Ｒ）、且つＦ１＝Ｔ１／（２×Ｒ）であると分かる。ちなみに、入力される太陽歯車５２及び出力されるリングギア６２の軸着対象が互換されても、前記遊星ギア２０及び遊星ギア２１（またはアイドラギアと呼ばれる）により円周方向の力が形成されて弾性部材３により湾曲変形が生成される事実に影響はない。
【００３０】
なお、図８ａ及び図８ｂを参照すれば、前記弾性部材３の第一端部３ａは全て固定部材３０に各々固定され（図８ａ参照）、且つ前記弾性部材３の第二端部３ｂは全て滑動方式で駆動部材３１の係止溝３１ｂに浮動接触される。このような配置では、駆動部材３１が遊星ギア２０及び遊星ギア２１により伝達される円周方向の力Ｆにより微量に自転を行って、前記弾性部材３が連動される場合（図８ｂ参照）、各弾性部材３の第一端部３ａが固定されて不動になるため、相対的に、各弾性部材３の第二端部３ｂは駆動部材３１により形成される微量な自転に追随して微量の移動を生じさせ、各弾性部材３により須らく湾曲変形が生成され、且つ各弾性部材３の第一端面３ｃが圧力を受け、第二端面３ｄが引張力を受ける場合、貼付方式で少なくとも１つの弾性部材３に搭載される少なくとも１つの歪みゲージ４が同期で湾曲変形の作用を受けて歪みが生成され、入力軸５と出力軸６との間の検出トルク値となる。ちなみに、前記弾性部材３の第二端部３ｂが固定方式で駆動部材３１の係止溝３１ｂ内に結合され、前記第二端部３ｂが係止溝３１ｂに浮動接触されなくなれば、駆動部材３１の微量な回転により第二端部３ｂが追随して移動されると、このような状態では、歪みゲージ４が同様に湾曲変形の作用を受けて歪みが生成される。
【００３１】
図９は本発明の以下のデータに基づいて弾性部材３が受ける作用力のシミュレーションを説明する。例えば、リングギア６２により負荷されるトルクＴ１＝２．５Ｎ-ｍ、リングギア６２のピッチ円半径Ｒ＝１０．５ｍｍ、及びリングギア６２が遊星ギア２０及び遊星ギア２１に作用させる切線力Ｆ１と設定される。ここからは、以下のことが分かる。
Ｔ１＝２×（Ｆ１×Ｒ）
Ｆ１＝Ｔ１／（２×Ｒ）＝２．５／（２×０．０１０５）＝１１９．０４７６Ｎ＝１２．１３９４（ｋｇｆ）
【００３２】
弾性部材３の中心から太陽歯車５２の輪心までの間隔Ｒ'＝９．７５（ｍｍ）、遊星ギア２０及び遊星ギア２１の輪心から太陽歯車５２の輪心までの間隔Ｒ"＝７．１５（ｍｍ）と設定され、遊星ギア２０及び遊星ギア２１により円周方向の力Ｆが駆動部材３１に伝達される場合、力の平行移動の原理に基づき、遊星ギア２０及び遊星ギア２１により負荷される円周方向の力Ｆはトグル弾性部材３の湾曲される順方向の推力に等しくなり、仮に各弾性部材３が受ける順方向の推力がＦ'であり、前記弾性部材３の数量が４つであり、２×（Ｆ×Ｒ"）＝４×（Ｆ'×Ｒ'）である場合、以下のことが分かる。
Ｆ'＝（Ｒ"／Ｒ'）×（Ｆ／２）＝（７．１５／９．７５）×１２．１３９４＝８．９０２２（ｋｇｆ）
【００３３】
前記弾性部材３の材質がＪＩＳ  ＳＫ７と設定されると、検査表からその引張強度が１７６ｋｇｆ／ｍｍ２であり、降伏強度が１５８．３６２ｋｇｆ／ｍｍ２であり、且つヤング率Ｅが２１，０００ｋｇｆ／ｍｍ２であると分かる。また、図１０ａ及び図１０ｂを参照して説明する。各弾性部材３の長さＬ＝２０ｍｍ、幅ｂ＝４ｍｍ、厚さｈ＝２ｍｍと設定され、各弾性部材３が受ける順方向の推力がＦ'である場合、各弾性部材３の固定部材３０との固定箇所での応力σは、
σ＝６×Ｌ×Ｆ'／（ｂ×ｈ２）＝６×２０×８．９０２２／（４×２２）＝６６．７６６（ｋｇｆ／ｍｍ２）となる。ここから分かるように、応力σは引張強度１５８．３６２ｋｇｆ／ｍｍ２の半分より小さく、各弾性部材３は須らく十分な疲労寿命があると断定できる。
【００３４】
図１１に示すように、前記弾性部材３が受ける作用力がＦ'である場合、各弾性部材３の第二端部３ｂの偏移量δは、
δ＝４×Ｌ３×Ｆ'／（ｂ×ｈ３×Ｅ）
＝４×２０３×８．９０２２／（４×２３×２１０００）＝０．４２３９（ｍｍ）
となる。
【００３５】
このほか、歪みゲージ４が弾性部材３に貼り合わせられる位置ｄ＝１５ｍｍと設定され、ここから、以下のことが分かる。
［曲げモーメントＭ］
Ｍ＝Ｆ'×ｄ＝８．９０２２×１５＝１３３．５３３（ｋｇｆ．ｍｍ）
［断面二次モーメントＩ］
Ｉ＝ｂ×ｈ３／１２＝４×２３／１２＝２．６６６７（ｍｍ）
［曲率半径ｒ］
ｒ＝（Ｍ／Ｅ×Ｉ）-１＝（１３３．５３３／２１０００×２．６６６７）-１＝４１９．３７７  （ｍｍ）
［歪み量ε］
ε＝（２π（ｒ＋０．５ｈ）-２πｒ）／２πｒ＝ｈ／２ｒ
＝２／（２×４１９．３７７）＝０．００２３８４＝２．３８４×１０-３
【００３６】
ここでは、ｄの位置は装設の利便性及び生成可能な最大の曲げモーメントを考慮して決定され、例えば、弾性部材３上で歪みゲージ４が貼り合わせられる位置は相対的に固定部材３０に近接され（すなわち、駆動部材３１から離れる）、大きな歪みが生成されてより精確なトルクの計測精度が得られる。
【００３７】
上述のシミュレーションに基づき、本発明は条片状の弾性部材３の一端部がトグル状態で受力されて敏感な湾曲が生成され、追随して前記歪みゲージ４により変形を生成させることが可能であることが分かり、且つ歪みゲージ４のトルクの検出精度も更に高まる。また、前記弾性部材３が入力軸５（または太陽歯車或いはリングギアと呼ばれる）の軸方向にそれぞれ相互に平行して配置され、入力軸５（または太陽歯車或いはリングギアと呼ばれる）の径方向に沿って配置されるのではなく、応用部材、設備、またはトルク検出器の径方向の体積が確実に効果的に縮減され、先行技術に対して貢献できる。
【００３８】
従って、本明細書に開示された実施例は、本発明を限定するものではなく、説明するためのものであり、このような実施例によって本発明の思想と範囲が限定されるものではない。本発明の範囲は特許請求の範囲により解釈すべきであり、それと同等の範囲内にある全ての技術は、本発明の権利範囲に含まれるものと解釈すべきである。ちなみに、上述のアイドラギア２と入力軸５、出力軸６との間の配置関係は、入力軸５及び出力軸６により切線力がそれぞれ形成されて、アイドラギア２が駆動されて中心軸Ｃの円周に沿って回転を行い、前記切線力の総合により反力Ｆが生成されて、アイドラギア２が前記円周に沿って回転を行う場合の負荷トルクとなれば、本発明の思想概念の応用範籌に属し、且つ遊星ギア組に対する制限を受けない。よって、本発明は請求項中で限定される内容に準ずる。
【符号の説明】
【００３９】
１      ハウジング
２      アイドラギア
２０    遊星ギア
２１    遊星ギア
２０ａ  遊星ギア軸
２１ａ  遊星ギア軸
３      弾性部材
３ａ    第一端部
３ｂ    第二端部
３ｃ    第一端面
３ｄ    第二端面
３０    固定部材
３１    駆動部材
３０ａ  スルーホール
３１ａ  スルーホール
３１ｂ  係止溝
３２    台座
４      歪みゲージ
５      入力軸
５０    ベアリング
６０    ベアリング
５１    端部
６１    端部
５２    太陽歯車
６      出力軸
６２    リングギア
Ｄ      ラジアル線
Ｃ      中心軸
【図１】
0006344663.tif 000003
【図２】
0006344663.tif 000004
【図３】
0006344663.tif 000005
【図４】
0006344663.tif 000006
【図５】
0006344663.tif 000007
【図６】
0006344663.tif 000008
【図７】
0006344663.tif 000009
【図８ａ】
0006344663.tif 000010
【図８ｂ】
0006344663.tif 000011
【図９】
0006344663.tif 000012
【図１０ａ】
0006344663.tif 000013
【図１０ｂ】
0006344663.tif 000014
【図１１】
0006344663.tif 000015